(57)【特許請求の範囲】
【請求項１】
衣服等に取付けられたファスナーのスライダーと、このスライダーをスライド操作する引き手であって、
上記スライダーと引き手とに跨ってゴム又は樹脂で成形されたカバーが取付けられ、このカバーは、引き手に差し込んで係止される鞘状の差し込み部と、スライダーの上面を覆う覆い部とで構成されて、引き手の持ち上げ方向に撓み可能であることを特徴とするファスナーのカバー構造。
【請求項２】
上記カバーは、可撓性を有するシリコンゴム又はシリコン樹脂で成形されている請求項１に記載のファスナーのカバー構造。
【発明の詳細な説明】
【０００１】
【発明の属する技術分野】
本発明は、デザイン性及び機能性に優れたファスナーのカバー構造に関する。
【０００２】
【従来の技術】
従来、衣服やカバン等に用いられるファスナーのスライダーをスライド操作する引き手は、フリーな状態でブラブラするようになっている。
【０００３】
また、特に小型のファスナーでは、スライダーと引き手とが金属製である。
【０００４】
【発明が解決しようとする課題】
上記引き手がフリー状態でブラブラするような場合、特にファスナーがスポーツウェアの前見頃に用いられているときには、スポーツ選手が走っているリズムとともに横揺れしてスポーツウェアに当たり、「ぱしゃぱしゃ」という音がするので耳障りになる。
【０００５】
また、スライダーと引き手とが金属製であるときには、引き手が横揺れしてスライダーに接触すると静電気が発生することがある。
【０００６】
本発明は、上記従来の問題を解決するためになされたもので、デザイン性及び機能性に優れると共に、横揺れ音や静電気が発生しにくいファスナーのカバー構造を提供することを目的とするものである。
【０００７】
【課題を解決するための手段】
上記課題を解決するために、本発明の請求項１は、衣服等に取付けられたファスナーのスライダーと、このスライダーをスライド操作する引き手であって、上記スライダーと引き手とに跨ってゴム又は樹脂で成形されたカバーが取付けられ、このカバーは、引き手に差し込んで係止される鞘状の差し込み部と、スライダーの上面を覆う覆い部とで構成されて、引き手の持ち上げ方向に撓み可能であることを特徴とするファスナーのカバー構造を提供するものである。
【０００８】
請求項１によれば、スライダーと引き手とに跨ってゴム又は樹脂で成形したカバーを取付けることにより、スライダーと引き手とが金属製であっても、引き手が横揺れして接触するのはスライダーの絶縁性のカバーであるので静電気が発生しにくくなる。
【０００９】
また、請求項２のように、上記カバーは、可撓性を有するシリコンゴム又はシリコン樹脂で成形されているのが好ましい。
【００１０】
【発明の実施の形態】
以下、本発明の実施の形態を図面を参照して詳細に説明する。
【００１１】
図１は第１参考例のスポーツウェア１の前身頃のファスナー２のスライダー３をスライド操作する引き手４のカバー５Ａの構造である。
【００１２】
上記カバー５Ａは、金属製（合成樹脂製でも可）の引き手４に差し込まれて、引き手４の全長をカバーする差し込み部５ａを有すると共に、この差し込み部５ａの下端部には丸穴（被係止部）５ｂが開けられている。なお、カバー５の差し込み部５ａを引き手４に差し込むようにすれば、既存の引き手４にも取付けることが可能であるが、引き手４にカバー５をアウトサートモールドするようにしても良い。
【００１３】
上記スライダー３を最上位置に引き上げたときのスポーツウェア１の一側の前身頃には、上記引き手４とともにカバー５Ａをこの前身頃側に傾けたときに、カバー５Ａの丸穴５ｂが一致する突起（係止部）６ａを有する突起プレート６が取付けられている。この突起６ａと上記丸穴５ａとは、丸穴５ａを突起６ａに着脱可能に無理嵌めできる寸法に設定されている。
【００１４】
上記カバー５Ａ及び突起プレート６は、ゴムや合成樹脂で成形されていて、例えば黒色に着色されている。上記ゴムや合成樹脂は可撓性を有するシリコン系であるのが好ましい。
【００１５】
第１参考例の引き手４のカバー５Ａの構造であれば、スライダー３でファスナー２を閉じて、引き手４のカバー５Ａの丸穴５ｂをスポーツウェア１の突起プレート６の突起６ａに上方から無理嵌めして嵌め込み係止することにより（図１（ｃ）の状態）、引き手４がロック状態でブラブラしなくなる（ワンタッチ嵌め込み式）。
【００１６】
また、スライダー３でファスナー２を開くときには、引き手４のカバー５Ａの下端部をやや力をこめて指で引っ掛け上げると、丸穴５ｂがスポーツウェア１の突起プレート６の突起６ａから抜け外れるので、引き手４を指でつまんでスライダー３をスライド操作できるようになる。
【００１７】
したがって、特にファスナー２がスポーツウェア１の前見頃に用いられているときには、スポーツ選手が走っているリズムとともに横揺れしなくなって、スポーツウェア１に当たらなくなり、耳障りな横揺れ音がしにくくなるので機能性に優れるようになる。
【００１８】
また、カバー５には文字、図形、記号等のデザインを自由に施せるのでデザイン性にも優れるようになる。
【００１９】
図２（ａ）は第２参考例の引き手４のカバー５Ｂの構造である。
【００２０】
上記カバー５Ｂは、第１参考例と同様に、引き手４に差し込まれて、引き手４の全長をカバーする差し込み部５ａを有すると共に、この差し込み部５ａの下端部には、第１参考例の穴部５ａに代えて、横向きＵ字状凹部（被係止部）５ｃが形成されている。
【００２１】
上記スライダー３を最上位置に引き上げたときのスポーツウェア１の一側の前身頃には、第１参考例と同様に、上記引き手４とともにカバー５Ｂをこの前身頃側に傾けたときに、カバー５ＢのＵ字状凹部５ｃが側方から無理嵌め可能な突起（係止部）６ａを有する突起プレート６が取付けられている。
【００２２】
第２参考例の引き手４のカバー５Ｂの構造であれば、スライダー３でファスナー２を閉じて、引き手４のカバー５ＢのＵ字状凹部５ｃをスポーツウェア１の突起プレート６の突起６ａに側方から無理嵌めして引っ掛け係止することにより、引き手４がロック状態でブラブラしなくなる（ワンタッチ引っ掛け式）。
【００２３】
また、スライダー３でファスナー２を開くときには、引き手４のカバー５Ｂの下端部をやや力をこめて指で引っ掛け押すと、Ｕ字状凹部５ｃがスポーツウェア１の突起プレート６の突起６ａから抜け外れるので、引き手４を指でつまんでスライダー３をスライド操作できるようになる。
【００２４】
したがって、第１参考例と同様に、耳障りな横揺れ音がしにくくなるので機能性に優れると共に、デザインを自由に施せるのでデザイン性にも優れるようになる。
【００２５】
図２（ｂ）は第３参考例の引き手４のカバー５Ｃの構造である。
【００２６】
上記カバー５Ｃは、第１参考例と同様に、引き手４に差し込まれて、引き手４の全長をカバーする差し込み部５ａを有すると共に、この差し込み部５ａの下端部には、第１参考例の穴部５ａに代えて、大径の円板状部５ｄが形成され、この円板状部５ｄの下面には、片側のホックボタン（被係止部）７ａが固定されている。
【００２７】
上記スライダー３を最上位置に引き上げたときのスポーツウェア１の一側の前身頃には、第１参考例と同様に、上記引き手４とともにカバー５Ｃをこの前身頃側に傾けたときに、カバー５Ｃの片側のホックボタン７ａが上方から無理嵌め可能な他側のホックボタン（係止部）７ｂを有するホックプレート７が取付けられている。
【００２８】
第３参考例の引き手４のカバー５Ｃの構造であれば、スライダー３でファスナー２を閉じて、引き手４のカバー５Ｃのホックボタン７ａをスポーツウェア１のホックプレート７の他側のホックボタン７ｂに上方から無理嵌めして嵌め込み係止することにより、引き手４がロック状態でブラブラしなくなる（ワンタッチ・ホック（ドット）ボタン式）。
【００２９】
また、スライダー３でファスナー２を開くときには、引き手４のカバー５Ｃの下端部をやや力をこめて指で引っ掛け上げると、ホックボタン７ａがスポーツウェア１のホックプレート７のホックボタン７ｂから抜け外れるので、引き手４を指でつまんでスライダー３をスライド操作できるようになる。
【００３０】
したがって、第１参考例と同様に、耳障りな横揺れ音がしにくくなるので機能性に優れると共に、デザインを自由に施せるのでデザイン性にも優れるようになる。
【００３１】
上記第１〜第３参考例では、カバー５（Ａ〜Ｃ）を一側の前身頃側に傾けて係止するようにしたから、引き手４とともにカバー５（Ａ〜Ｃ）を操作するときに突起プレート６及びホックプレート７が邪魔にならないので、スムーズに開閉操作をすることができるが、図３に示すように、デザイン上の観点から必要が有れば、突起プレート６の突起６ａ（又はホックプレート７のホックボタン７ｂ）をファスナー２の真上に位置させることも可能である。この場合には、引き手４とともにカバー５（Ａ〜Ｃ）を操作するとき、突起６ａの部分（又はホックボタン７ｂの部分）を指で上方に撓ませれば良い。
【００３２】
図４は実施形態のスライダー３と引き手４のカバー５Ｄの構造である。
【００３３】
上記カバー５Ｄは、引き手４に差し込む鞘状の差し込み部５ａを有し、この差し込み部５ａの内部には、差し込まれた引き手４の下端部の小穴４ａを係止する係止突起５ｅが形成されている。
【００３４】
上記差し込み部５ａの上部には、スライダー３の上面を覆う幅広な覆い部５ｆが一体形成されている。この覆い部５ｆは薄肉であり、上記差し込み部５ａは厚肉であることから、差し込み部５ａと覆い部５ｆとの境部分は引き手４の持ち上げ方向に撓みやすくなる。
【００３５】
上記カバー５Ｄは、ゴム又は樹脂、特に可撓性を有するシリコン系のゴム又は樹脂で一体成形する。
【００３６】
実施形態のスライダー３と引き手４のカバー５Ｄの構造であれば、スライダー３と引き手４とに跨ってカバー５Ｄを取付けることにより、スライダー３と引き手４とが金属製であっても、引き手４が横揺れして接触するのはスライダー３の絶縁性のカバー５Ｄであるので静電気が発生しにくくなる。
【００３７】
したがって、静電気対策が必要な作業者のユニフォーム用ファスナーとしても採用できる一方、このカバー５Ｄは、引き手４を持ち上げるときには撓み可能であるので機能性に優れると共に、カバー５Ｄにはデザインを自由に施せるのでデザイン性にも優れるようになる。
【００３８】
一方、上記引き手４を図５に示すような形状に形成して、この引き手４の横長穴４ｂにゴム又は樹脂、特に可撓性を有するシリコン系のゴム又は樹脂で成形したベルト材８を通して内面同士を接着することにより、引き手とすることができる。この場合、ベルト材８の外面には、滑り止め用エンボス８ａを縦横に形成することができる。そして、例えばベルト材８が黒色とすると、エンボス８ａを黄色とするように２色成形することができる。
【００３９】
また、上記引き手４を図６に示すような形状に形成して、この引き手４の下部にゴム又は樹脂、特に可撓性を有するシリコン系のゴム又は樹脂で横軸状のつまみ９をアウトサート成形することにより、引き手とすることができる。この場合、つまみ９の外面には、滑り止め用エンボス９ａを縦横に形成することができる。そして、例えば、つまみ９が黒色とすると、エンボス９ａを黄色とするように２色成形することができる。
【００４０】
【発明の効果】
以上の説明からも明らかなように、本発明の請求項１によれば、スライダーと引き手とに跨ってゴム又は樹脂で成形したカバーを取付けることにより、スライダーと引き手とが金属製であっても、引き手が横揺れして接触するのはスライダーの絶縁性のカバーであるので静電気が発生しにくくなるから、静電気対策が必要な作業者のユニフォーム用ファスナーとしても採用できる一方、このカバーは、引き手を持ち上げるときには撓み可能であるので機能性に優れると共に、カバーにはデザインを自由に施せるのでデザイン性にも優れるようになる。
【図面の簡単な説明】
【図１】  本発明の第１参考例のファスナーのカバー構造であり、（ａ）は係止前の正面図、（ｂ）は側面図、（ｃ）は係止後の正面図である。
【図２】  （ａ）は第２参考例のファスナーのカバー構造の係止前の正面図、（ｂ）は第３参考例のファスナーのカバー構造の係止前の正面図である。
【図３】  変形例のファスナーのカバー構造であり、（ａ）は係止前の正面図、（ｂ）は係止後の正面図である。
【図４】  実施形態のファスナーのカバー構造であり、（ａ）はカバー取付け前のスライダーとファスナーの正面図、（ｂ）カバー取付け後のスライダーとファスナーの正面図、（ｃ）はカバーの正面図、（ｄ）はカバーの側面断面図、（ｅ）はカバーの背面図である。
【図５】  ベルト材を用いた引き手の斜視図である。
【図６】  つまみを用いた引き手であり、（ａ）は正面図、（Ｂ）は側面図である。
【符号の説明】
１    スポーツウェア
２    ファスナー
３    スライダー
４    引き手
５Ａ〜５Ｄ  カバー
５ａ  差し込み部
５ｂ  丸穴（被係止部）
５ｃ  Ｕ字状凹部（被係止部）
６    突起プレート
６ａ  突起（係止部）
７（ａ，ｂ）  ホックボタン
【図１】
0004350248.tif 000002
【図２】
0004350248.tif 000003
【図３】
0004350248.tif 000004
【図４】
0004350248.tif 000005
【図５】
0004350248.tif 000006
【図６】
0004350248.tif 000007